(57)【要約】【課題】オペレータによる動作モード設定が、通常想定される設定から逸脱した際、その動作モード設定をオペレータに知らせることができる画像印刷装置及びその制御方法を提案することを目的とする。【解決手段】画像データを入力する画像入力手段と、画像データを印刷する画像印刷手段と、画像データを印刷する際に、オペレータが印刷モードを指定する操作手段と、設定状態を音声でオペレータに知らせる音声報知手段とを有する。また、オペレータが指定した印刷モードが特定の印刷モードから逸脱しているかどうかを判定する判定手段を有する。さらに、オペレータが指定した印刷モードが特定の印刷モードから逸脱していると判定された場合、オペレータが設定した印刷モードを、音声報知手段に音声で報知させる。また、操作手段を介して、オペレータが確認操作すると、画像入力手段を介して入力した画像データを、画像印刷手段に印刷させる画像印刷装置である。【選択図】図１
2008230174.tif 000002
【特許請求の範囲】
【請求項１】
画像データを入力する画像入力手段と；
画像データを印刷する画像印刷手段と；
画像データを印刷する際に、オペレータが印刷モードを指定する操作手段と；
設定状態を音声でオペレータに知らせる音声報知手段と；
オペレータが指定した印刷モードが特定の印刷モードから逸脱しているかどうかを判定する判定手段と；
オペレータが指定した印刷モードが上記特定の印刷モードから逸脱していると判定された場合、オペレータが設定した印刷モードを、上記音声報知手段に音声で報知させ、また、上記操作手段を介して、オペレータが確認操作すると、上記画像入力手段を介して入力した画像データを、上記画像印刷手段に印刷させる制御手段と；
を有することを特徴とする画像印刷装置。
【請求項２】
請求項１において、
上記判定手段は、オペレータが設定した印刷枚数が、予め定められた枚数よりも多い場合、上記特定の印刷モードから逸脱したと、判定する手段であることを特徴とする画像印刷装置。
【請求項３】
請求項１において、
上記判定手段は、オペレータが設定した印刷品位と記録紙種別とが、予め定められた組み合わせと異なる場合、上記特定の印刷モードから逸脱したと、判定する手段であることを特徴とする画像印刷装置。
【請求項４】
請求項１において、
記録紙サイズを検出する記録紙サイズ検出手段を有し、
上記判定手段は、オペレータが設定した記録紙サイズが、上記記録紙サイズ検出手段が検出した記録紙サイズと異なる場合、上記特定の印刷モードから逸脱したと、判定する手段であることを特徴とする画像印刷装置。
【請求項５】
請求項１において、
上記画像入力手段が入力した画像データが、カラー画像であるかモノクロ画像であるかを判定する画像色判定手段を有し、
上記判定手段は、オペレータが設定した印刷色設定が、上記画像色判定手段が判定した画像色判定と異なる場合、上記特定の印刷モードから逸脱したと、判定する手段であることを特徴とする画像印刷装置。
【請求項６】
請求項１において、
上記画像入力手段が入力した画像データが、テキスト画像であるか中間調画像であるかを判定する画像品位判定手段を有し、
上記判定手段は、オペレータが設定する印刷品位設定が、上記画像品位判定手段が判定した画像品位と異なる場合、上記特定の印刷モードから逸脱したと、判定する手段であることを特徴とする画像印刷装置。
【請求項７】
請求項１において、
上記画像入力手段から入力された画像データが、縦横比を検出する画像形状判定手段を有し、
上記判定手段は、オペレータが設定する記録紙の印刷向き設定が、上記画像形状判定手段がした画像形状と異なる場合、上記特定の印刷モードから逸脱したと、判定する手段であることを特徴とする画像印刷装置。
【請求項８】
入力された画像データを記憶装置に記憶する画像入力工程と；
画像データを印刷する画像印刷工程と；
音声信号を生成し、記憶装置に記憶し、設定状態を音声でオペレータに知らせる音声報知工程と；
オペレータが指定した印刷モードが特定の印刷モードから逸脱しているかどうかを判定し、記憶装置に記憶する判定工程と；
上記オペレータが指定した印刷モードが上記特定の印刷モードから逸脱していると判定されると、オペレータが設定した印刷モードを、音声で報知させ、また、操作手段を介して、オペレータが確認操作すると、上記入力した画像データを、画像印刷手段に印刷させる制御工程と；
を有することを特徴とする画像印刷装置の制御方法。
【発明の詳細な説明】
【技術分野】
【０００１】
本発明は、画像データを印刷する画像印刷装置に関し、特に、印刷時にオペレータが設定する印刷設定情報を、音声によって報知可能な画像印刷装置に関する。
【背景技術】
【０００２】
従来、印刷処理を行う際に、オペレータが設定した印刷設定（動作モード）を、音声で報知する画像印刷装置が提案されている（たとえば、特許文献１参照）。
【０００３】
図３は、従来の画像印刷装置３００を示す図である。
【０００４】
従来の画像印刷装置３００は、原稿３２１を読み取って、コピー画像を生成する装置である。ＣＰＵ３０１は、各ブロックの動作を制御するコントローラであり、制御バス３１８を介して各ブロックを制御する。ＲＯＭ３０２は、画像印刷装置３００が動作するのに必要なプログラム等を記憶するメモリである。
【０００５】
ＲＡＭ３０３は、読み取った画像データ等を一時的に格納し、また、画像処理のワークバッファとして使用されるメモリである。スキャナ３１６は、密着型のイメージセンサやＣＣＤ等の光電変換素子であり、原稿３２１をカラーモードまたはモノクロモードで読み取り、カラー画像データ（ＲＧＢ三色データ等）またはモノクロ画像データ（二値データまたは中間調データ）を生成する。
【０００６】
操作部３０４は、オペレータが画像印刷装置３００を操作する操作手段であり、ＬＣＤ／ＬＥＤ等の表示機や各種操作キーで構成されている。プリンタ３０６は、コピー画像を記録紙に印刷するカラー印刷手段である。
【０００７】
画像処理部３０８は、スキャナ３１６で読み取った画像データをプリンタ３０６で印刷可能な印刷データ（濃度データ）に変換する処理ブロックである。音声生成部３１１は、装置の動作状態を、オペレータに報知するための音声信号を生成するブロックであり、音声生成部３１１で生成された音声信号は、スピーカ３１２を介して、音声としてオペレータに報知される。
【０００８】
操作部３０４は、カラーモード選択キー３０４Ａとモノクロモード選択キー３０４Ｂとを備え、カラーモード選択キー３０４Ａが操作され、且つ原稿のコピー指示がされると、カラーコピー処理を実行する。一方、モノクロモード選択キー３０４Ｂが操作され、且つ原稿のコピー指示がされると、モノクロコピー処理を実行する。
【０００９】
以上の構成によって、従来の画像印刷装置３００は、原稿３２１のコピー処理を実行することができる。
【００１０】
次に、従来の画像印刷装置３００の動作について説明する。
【００１１】
図４は、従来の画像印刷装置３００においてコピー処理を示すフローチャートである。
【００１２】
画像印刷装置３００は、オペレータがコピー指示すると（Ｓ４００）、そのときのコピーモード選択状態が、カラーモードであるか、モノクロモードであるかを判別する（Ｓ４０１）。つまり、画像印刷装置３００は、操作部３０４において、カラーモード選択キー３０４Ａが操作されたか、モノクロモード選択キー３０４Ｂが操作されたかを判別する。
【００１３】
そして、カラーモードが選択されると、音声生成部３１１が、『カラーでコピーします』等、音声信号を生成し、スピーカ３１２を介して、オペレータに報知する（Ｓ４０２）。音声を報知した後に、所定時間のカウントを行い（Ｓ４０３）、オペレータがその時間内に所定の確認操作、たとえば、操作部３０４に設置されたスタートキー（不図示）等を操作すると（Ｓ４０４）、カラーコピー処理を開始する。
【００１４】
カラーコピー処理する場合、スキャナ３１６が、原稿３２１をカラーモードで読み取り、画像処理部３０８がカラー印刷データを生成し、プリンタ３０６がカラーコピー画像を印刷出力する（Ｓ４０５）。
【００１５】
一方、スタートキー操作がされずに、所定時間が経過すれば（Ｓ４０３）、コピーモード選択状態をモノクロモードに切り替え（Ｓ４０６）、モノクロコピー処理を開始する。モノクロコピー処理する場合、スキャナ３１６が、原稿３２１をモノクロモード読み取りし、画像処理部３０８が、モノクロ印刷データを生成し、プリンタ３０６が、モノクロコピー画像を印刷出力する（Ｓ４０７）。
【００１６】
Ｓ４０１において、カラーモードではなく、モノクロモードが選択されたと判断すると、モノクロコピー処理を開始し、スキャナ３１６が、原稿３２１をモノクロモード読み取りし、画像処理部３０８がモノクロ印刷データを生成する。そして、プリンタ３０６がモノクロコピー画像を印刷出力する（Ｓ４０７）。
【００１７】
以上が、従来の画像印刷装置３００において、コピー処理を行う際の動作である。
【００１８】
また、装置の動作モードを音声によって報知可能な装置として、オペレータが装置の動作モードを設定すると、その動作モードに応じた音声案外を再生する装置が知られている（たとえば、特許文献２参照）。
【００１９】
さらに、電源投入時に、装置に設定されている動作モードを音声で報知する装置が知られている（たとえば、特許文献３参照）。
【特許文献１】特開２００４−１７３０６８号公報
【特許文献２】特開平１１−３４５３８２号公報
【特許文献３】特開２００１−１８８５６１号公報
【発明の開示】
【発明が解決しようとする課題】
【００２０】
しかし、特許文献１記載の発明は、コピー処理をする場合、カラーコピー処理であることをオペレータに音声で知らせ、オペレータが設定するカラー／モノクロ設定以外の設定について、オペレータが操作ミスしたことを音声報知できないという問題がある。
【００２１】
また、特許文献２、３記載の発明では、オペレータが設定する動作モードが、通常想定される動作モード設定と同じであっても、必ず音声によって報知されるので、オペレータにとって煩わしいという問題がある。
【００２２】
本発明は、オペレータによる動作モード設定が、通常想定される設定から逸脱した際、その動作モード設定をオペレータに知らせることができる画像印刷装置及びその制御方法を提案することを目的とする。
【課題を解決するための手段】
【００２３】
本発明は、画像データを入力する画像入力手段と、画像データを印刷する画像印刷手段と、画像データを印刷する際に、オペレータが印刷モードを指定する操作手段と、設定状態を音声でオペレータに知らせる音声報知手段とを有する。また、本発明は、オペレータが指定した印刷モードが特定の印刷モードから逸脱しているかどうかを判定する判定手段を有する。さらに、本発明は、オペレータが指定した印刷モードが特定の印刷モードから逸脱していると判定された場合、オペレータが設定した印刷モードを、音声報知手段に音声で報知させる。また、操作手段を介して、オペレータが確認操作すると、画像入力手段を介して入力した画像データを、画像印刷手段に印刷させる画像印刷装置である。
【発明の効果】
【００２４】
本発明によれば、オペレータによる動作モード設定が、通常想定される設定から逸脱した際、その動作モード設定をオペレータに知らせることができるという効果を奏する。
【発明を実施するための最良の形態】
【００２５】
発明を実施するための最良の形態は、次の実施例である。
【実施例１】
【００２６】
図１は、本発明の実施例１である画像印刷装置２００を示すブロック図である。
【００２７】
画像処理装置２００は、装置外部から入力される画像データを記録紙に印刷し、また、原稿を読み取ってコピー画像を印刷する装置である。画像処理装置２００は、ＣＰＵ２０１と、ＲＯＭ２０２と、ＲＡＭ２０３と、操作部２０４と、カラープリンタ２０５と、画像処理部２０８と、設定モード判定部２０９と、入力画像判定部２１０とを有する。また、画像処理装置２００は、音声生成部２１１と、スピーカ２１２と、画像入力部２１３とを有する。
【００２８】
ＣＰＵ２０１は、各ブロックの動作を制御するコントローラであり、制御バス２１８を介して、各ブロックを制御する。
【００２９】
ＲＯＭ２０２は、画像印刷装置２００が動作するために必要なプログラム等を記憶するメモリであり、オペレータに報知する際の音声信号を、デジタルＰＣＭデータとして記憶するメモリとしても使用される。
【００３０】
ＲＡＭ２０３は、入力された画像データ等を一時的に格納し、さらに画像処理のワークバッファとして使用するメモリである。
【００３１】
画像入力部２１３は、メモリカードインタフェース部２１４と、デジタルカメラインタフェース部２１５と、スキャナ２１６と、赤外線インタフェース部２１７等の画像入力インタフェースとを有する。また、画像入力部２１３は、様々なデバイスから画像データを取得し、さらに原稿を読み取る画像入力部である。
【００３２】
メモリカードインタフェース部２１４は、各種メモリカード２１９との間で、インタフェースを行い、メモリカード２１９に記憶されている画像データ（ＪＰＥＧデータ等）を入力するブロックである。
【００３３】
カメラインタフェース部２１５は、ＵＳＢ規格等の通信制御ブロックによって構成され、デジタルカメラ２２０との間でインタフェースを行い、デジタルカメラ２２０が撮影した画像データ（ＪＰＥＧデータ等）を入力するブロックである。
【００３４】
スキャナ２１６は、密着型のイメージセンサやＣＣＤ等の光電変換素子で構成され、原稿２２１を、カラーモードやモノクロモードで読み取り、カラー画像データ（ＲＧＢ３色データ等）またはモノクロ画像データ（二値データまたは中間調データ）を生成する。
【００３５】
赤外線インタフェース部２１７は、ＩｒＤＡ規格等の通信制御ブロックによって構成され、カメラ付き携帯電話２２２との間でインタフェースを行い、カメラ付き携帯電話２２２が撮影した画像データ（ＪＰＥＧデータ等）を入力する。
【００３６】
操作部２０４は、オペレータが画像印刷装置２００を操作するための操作手段であり、ＬＣＤ／ＬＥＤ等の表示機や各種操作キーを有する。
【００３７】
カラープリンタ２０５は、入力された画像を記録紙に印刷するための印刷手段の例であり、インクジェット等のカラー印刷を行う印字部２０６と、画像印刷装置２００にセットされた記録紙の用紙サイズを検出する記録紙サイズセンサ２０７とを有する。
【００３８】
画像処理部２０８は、スキャナ２１６が読み取った画像データや、カードインタフェース部２１４、カメラインタフェース部２１５、赤外線インタフェース部２１７が入力したＪＰＥＧデータ等を、印刷データ（濃度データ）に変換する。この印刷データを、カラープリンタ２０５が印刷する。また、画像処理部２０８は、画像の印刷においてオペレータが設定した印刷設定に従って、入力された画像データの拡大／縮小処理や、画像の縦横変換等の処理も行う。
【００３９】
設定モード判定部２０９は、オペレータが操作部２０４で設定した印刷設定や、デジタルカメラ２２０、カメラ付き携帯電話２２２の操作部においてオペレータが設定した印刷設定を判定するブロックである。すなわち、印刷枚数、印字品位、記録紙種別、記録紙サイズ、印刷色、印刷向き等の各種設定を判定する。
【００４０】
入力画像判定部２１０は、画像入力部２１３が入力した画像データを解析し、入力した画像が、カラー画像であるかモノクロ画像であるか、テキスト画像（２値画像）であるか、中間調画像であるか、さらには入力画像が縦長であるか横長であるか等を解析する。
【００４１】
音声生成部２１１は、オペレータに、装置の動作状態を報知するための音声信号を生成し、ＲＯＭ２０２に記憶されている音声ＰＣＭデータを、デコード処理し、さらにＡ／Ｄ変換処理し、音声信号を生成する。音声生成部２１１が生成した音声信号は、スピーカ２１２を介して、音声としてオペレータに報知する。
【００４２】
つまり、スキャナ２１６は、画像データを入力する画像入力手段の例である。カラープリンタ２０５は、画像データを印刷する画像印刷手段の例である。操作部２０４は、画像データを印刷する際に、オペレータが印刷モードを指定する操作手段の例である。スピーカ２１２は、設定状態を音声でオペレータに知らせる音声報知手段の例である。
【００４３】
ＣＰＵ２０１は、オペレータが指定した印刷モードが特定の印刷モード（通常想定される印刷モード）から逸脱しているかどうかを判定する判定手段の例である。
【００４４】
ＣＰＵ２０１は、オペレータが指定した印刷モードが上記特定の印刷モードから逸脱していると判定された場合、オペレータが設定した印刷モードを、上記音声報知手段に音声で報知させる制御手段の例である。また、ＣＰＵ２０１は、上記操作手段を介して、オペレータが確認操作すると、上記画像入力手段を介して入力した画像データを、上記画像印刷手段に印刷させる制御手段の例である。
【００４５】
また、上記判定手段は、オペレータが設定した印刷枚数が、予め定められた枚数よりも多い場合、上記特定の印刷モードから逸脱したと、判定する手段である。上記判定手段は、オペレータが設定した印刷品位と記録紙種別とが、予め定められた組み合わせと異なる場合、上記特定の印刷モードから逸脱したと、判定する手段である。
【００４６】
記録紙サイズセンサ２０７は、記録紙サイズを検出する記録紙サイズ検出手段の例である。また、上記判定手段は、オペレータが設定した記録紙サイズが、上記記録紙サイズ検出手段が検出した記録紙サイズと異なる場合、上記特定の印刷モードから逸脱したと、判定する手段である。
【００４７】
入力画像判定部２１０は、上記画像入力手段が入力した画像データが、カラー画像であるかモノクロ画像であるかを判定する画像色判定手段の例である。この場合、上記判定手段は、オペレータが設定した印刷色設定が、上記画像色判定手段が判定した画像色判定と異なる場合、上記特定の印刷モードから逸脱したと、判定する手段である。
【００４８】
入力画像判定部２１０は、上記画像入力手段が入力した画像データが、テキスト画像であるか中間調画像であるかを判定する画像品位判定手段の例である。この場合、上記判定手段は、オペレータが設定する印刷品位設定が、上記画像品位判定手段が判定した画像品位と異なる場合、上記特定の印刷モードから逸脱したと、判定する手段である。
【００４９】
入力画像判定部２１０は、上記画像入力手段から入力された画像データが、縦横比を検出する画像形状判定手段の例である。この場合、上記判定手段は、オペレータが設定する記録紙の印刷向き設定が、上記画像形状判定手段がした画像形状と異なる場合、上記特定の印刷モードから逸脱したと、判定する手段である。
【００５０】
次に、実施例１の動作について、説明する。
【００５１】
図２は、画像印刷装置２００の動作を示すフローチャートである。
【００５２】
画像印刷装置２００は、操作部２０４、または、デジタルカメラ２２０またはカメラ付き携帯電話２２２の操作部において、オペレータが印刷を指示すると、印刷処理を開始する。印刷開始時において、印刷枚数、印字品位、記録紙種別、記録紙サイズ、印刷色、印刷向き等の各種設定が行われ、オペレータがスタートキー（不図示）等を押下すると、処理が開始される（Ｓ１００）。
【００５３】
画像印刷装置２００は、オペレータが指示した画像データを、外部装置（メモリカード２１９、デジタルカメラ２２０、カメラ付き携帯電話２２２）から、画像入力部２１３を介して、取り込む。また、オペレータの印刷指示が原稿のコピーであれば、原稿２２１をスキャナ２１６で読み取る（Ｓ１０１）。
【００５４】
画像入力部２１３が取り込んだ画像データを、入力画像判定部２１０が解析し、入力した画像データが、モノクロ画像であるかカラー画像であるか、また中間調画像であるかテキスト画像（２値画像）であるかを判断する。さらに、入力した画像データの縦横比を解析し、入力画像が縦長であるか横長であるかをも判定する（Ｓ１０２）。
【００５５】
続いて、画像印刷装置２００に設置されている記録紙のサイズを、記録紙サイズセンサ２０７が検知し、Ａ４、Ｂ５、はがき、Ｌ版等の記録紙サイズのうちで、どのサイズの記録紙が画像印刷装置２００に設置されているかを検知する（Ｓ１０３）。
【００５６】
その後、入力画像判定部２１０が判定した入力画像の種別、記録紙サイズセンサ２０７で検出された記録紙サイズに基づいて、オペレータが設定した印刷設定が、通常想定される設定（特定の設定）を逸脱しているか否かを、設定モード判定部２０９が判定する。この判定は、Ｓ１０４〜Ｓ１０９で実行される。
【００５７】
Ｓ１０４では、オペレータが設定した印刷枚数が、予め定められた印刷枚数よりも多いかどうかを判定する。予め定められた印刷枚数よりも多いと判断すると、印刷枚数が間違っていないかどうかを調べる旨を音声報知する（Ｓ１１１）。たとえば、予め定められた枚数が１０枚であり、オペレータが設定した印刷枚数が１１枚であれば、『印刷枚数が１１枚です。印字しますか？』という音声信号を、音声生成部２１１で生成し、スピーカ２１２を介して、音声としてオペレータに警告する。
【００５８】
その後に、オペレータが確認操作すると（Ｓ１１２）、印刷処理を開始し、画像処理部２０８が、入力画像データを印刷データに変換し、オペレータが設定した枚数分の印刷処理を、カラープリンタ２０５が実行し（Ｓ１１０）、処理を終了する。
【００５９】
Ｓ１０５では、印刷開始時にオペレータが設定した印刷品位と記録紙種別との組み合わせを判定する。オペレータの設定が、所定の組み合わせと異なれば、印刷設定が間違っていないかどうかを調べる旨を音声報知する（Ｓ１１１）。
【００６０】
たとえば、用紙設定が普通紙に設定されているのに、印刷品位が高品位に設定されていれば、『用紙設定は普通紙、印刷品位は高品位です。印刷しますか？』の音声信号を、音声生成部２１１が生成し、スピーカ２１２を介して音声でオペレータに警告する。その後に、オペレータが確認操作すると（Ｓ１１２）、印刷処理を開始し、入力画像データをオペレータが設定した印刷品位の印刷データに、画像処理部２０８が変換し、カラープリンタ２０５が印刷処理を実行し（Ｓ１１０）、処理を終了する。
【００６１】
Ｓ１０６では、印刷開始時にオペレータが設定した記録紙サイズと、記録紙サイズセンサ２０７が検出した記録紙サイズとを照合する。オペレータの設定と記録紙サイズセンサ２０７が検出した記録紙サイズとが異なれば、印刷設定が間違っていないかどうかを調べる旨を音声報知する（Ｓ１１１）。たとえば、『設定された記録紙サイズと、設置された記録紙サイズとが異なります。印刷しますか？』という音声信号を、音声生成部２１１が生成し、スピーカ２１２を介して、音声でオペレータに警告する。その後に、オペレータが確認操作すると（Ｓ１１２）、印刷処理を開始し、入力画像データを、オペレータが設定した記録紙サイズに縮小または拡大した印刷データを、画像処理部２０８が生成する。そして、カラープリンタ２０５で印刷処理を実行し（Ｓ１１０）、処理を終了する。
【００６２】
Ｓ１０７では、印刷開始時にオペレータが設定した印刷色設定と、入力画像判定部２１０が判定した入力画像の色判定（カラー画像であるかモノクロ画像であるか）とを照合する。オペレータの設定と入力画像の色判定とが異なれば、印刷設定が間違っていないかどうかを調べる旨を音声報知する（Ｓ１１１）。たとえば、オペレータがモノクロ印刷を設定したが、入力画像データがカラー画像であると判定すれば、『モノクロ印刷が設定されています。入力画像はカラー画像です。印刷しますか？』という音声信号を音声生成部２１１が生成し、スピーカ２１２を介して音声でオペレータに警告する。その後に、オペレータが確認操作すると（Ｓ１１２）、印刷処理を開始し、画像処理部２０８が、入力画像データをオペレータが設定した印刷色に色変換処理し、カラープリンタ２０５で印刷処理を実行し（Ｓ１１０）、処理を終了する。
【００６３】
Ｓ１０８で、印刷開始時にオペレータが設定した印刷品位設定と、入力画像判定部２１０が判定した入力画像の品位判定（テキスト画像であるか中間調画像であるか）とを照合する。オペレータの設定と入力画像の品位判定とが異なれば、印刷設定が間違っていないかどうかを調べる旨を音声報知する（Ｓ１１１）。たとえば、オペレータが中間調印刷を設定したが、入力画像データがテキスト画像であると判定すれば、『中間調印刷が設定されています。入力画像はテキスト画像です。印刷しますか？』という音声信号を音声生成部２１１で生成し、スピーカ２１２を介して音声でオペレータに警告する。その後に、オペレータが確認操作すると（Ｓ１１２）、印刷処理を開始し、画像処理部２０８が、入力画像データをオペレータが設定した印刷品位の印刷データに変換し、カラープリンタ２０５が印刷処理を実行し（Ｓ１１０）、処理を終了する。
【００６４】
Ｓ１０９では、印刷開始時にオペレータが設定した記録紙の印刷向き設定と、入力画像判定部２１０が判定した入力画像の縦横比（縦長画像であるか横長画像であるか）とを照合する。オペレータの設定と入力画像の縦横比とが異なれば、印刷設定が間違っていないかどうかを調べる旨を音声報知する（Ｓ１１１）。
【００６５】
たとえば、オペレータが、縦向きの印刷を設定したにも関わらず、入力画像が横長の画像であると判定されると、『縦向き印刷が設定されています。入力画像は横長画像です。印刷しますか？』という音声信号を音声生成部２１１が生成する。そして、スピーカ２１２を介して、音声でオペレータに警告する。その後に、オペレータが確認操作すると（Ｓ１１２）、印刷処理を開始し、入力画像データをオペレータが設定した印刷向き設定に従って回転処理を施した印刷データを、画像処理部２０８が生成する。そして、カラープリンタ２０５が印刷処理を実行し（Ｓ１１０）、処理を終了する。
【００６６】
Ｓ１０４〜Ｓ１０９において、印刷開始時にオペレータが設定した印刷設定が通常想定される印刷設定（特定の印刷設定）であれば、音声の警告を行わずに、印刷処理を開始する。そして、画像処理部２０８が、入力画像データをオペレータが設定した印刷設定に従った印刷データに変換する。そして、カラープリンタ２０５が印刷処理を実行し（Ｓ１１０）、処理を終了する。
【００６７】
また、Ｓ１１２において、音声によるオペレータへの警告を行った後に、オペレータが印刷中止を操作すると、設定ミスがあったと判断し、Ｓ１００に戻り、以降のステップの処理を、再度、繰り返す。
【００６８】
以上が、画像印刷装置２００において、画像の印刷処理を行う際の動作説明である。
【００６９】
上記実施例によれば、オペレータが設定する印刷設定が、通常想定される印刷モード（特定の印刷モード）から逸脱している場合にのみ、音声による警告（報知）がされるので、全ての設定を音声によって報知する装置のような煩わしさを回避することができる。また、オペレータの意図とは異なる印刷結果が得られてしまう不具合を防止することができ、印刷時間の無駄や、印刷ミスによる記録用紙の無駄を排除することができる。
【００７０】
また、上記実施例によれば、予め定められた印刷枚数をオペレータが設定した際に音声による警告がなされるので、誤って大量の印刷を実行してしまう不具合を防ぐことができる。
【００７１】
さらに、上記実施例によれば、オペレータが設定した印刷品位と記録紙種別との組み合わせが、予め定められた組み合わせと異なる場合に音声警告するので、普通紙に高品位での印刷を実行することによって印刷時間が長くなる不具合を除去することができる。また、高品位用紙に低品位の印刷をするという印刷ミスを防ぐことができる。
【００７２】
そして、上記実施例によれば、オペレータが設定した記録紙サイズと記録紙サイズ検出手段で検出した記録紙サイズとが異なると、音声警告されるので、用紙サイズに合わせた拡大／縮小処理が実行される。これによって、用紙の一部に縮小された画像が印刷される印刷ミスや、拡大によって画像の一部が欠落する印刷ミスを防ぐことができる。
【００７３】
また、上記実施例によれば、画像色判定手段が、入力画像がモノクロであるかカラーであるかを印刷の前に判定し、オペレータが誤った印刷色設定をしても、音声警告されるので、カラー画像をモノクロ印刷してしまう印刷ミスを防ぐことができる。
【００７４】
さらに、上記実施例によれば、画像品位判定手段が、入力画像がテキスト画像（２値画像）か中間調画像かを印刷の前に判断し、オペレータが誤った印刷品位設定をすると、音声警告されるので、中間調画像を２値で印刷してしまう印刷ミスを防ぐことができる。
【００７５】
そして、上記実施例によれば、画像形状判定手段が、入力画像の縦横比を印刷の前に判定し、オペレータが設定した記録紙の印刷向き設定が入力画像の縦横比と異なると、音声警告されるので、縦長用紙に横長画像を印刷するという印刷ミスを防ぐことができる。
【００７６】
また、上記実施例を方法の発明として把握することができる。つまり、上記実施例は、入力された画像データを記憶装置に記憶する画像入力工程と、画像データを印刷する画像印刷工程と、設定状態を音声でオペレータに知らせる音声報知工程とを実現する例である。また、上記実施例は、オペレータが指定した印刷モードが特定の印刷モードから逸脱しているかどうかを判定し、記憶装置に記憶する判定工程を実現する例である。上記実施例では、オペレータが指定した印刷モードが特定の印刷モードから逸脱していると判定されると、オペレータが設定した印刷モードを音声で報知し、また、操作手段を介して、オペレータが確認操作すると、入力した画像データを画像印刷手段が印刷する。
【図面の簡単な説明】
【００７７】
【図１】本発明の実施例１である画像印刷装置２００を示すブロック図である。
【図２】画像印刷装置２００の動作を示すフローチャートである。
【図３】従来の画像印刷装置３００を示す図である。
【図４】従来の画像印刷装置３００においてコピー処理を示すフローチャートである。
【符号の説明】
【００７８】
２００…画像印刷装置、
２０１…ＣＰＵ、
２０２…ＲＯＭ、
２０４…操作部、
２０７…記録紙サイズセンサ、
２０８…画像処理部、
２０９…設定モード判定部、
２１０…入力画像判定部、
２１１…音声生成部、
２１２…スピーカ、
２１３…画像入力部。
【図１】
2008230174.tif 000003
【図２】
2008230174.tif 000004
【図３】
2008230174.tif 000005
【図４】
2008230174.tif 000006